(57)【特許請求の範囲】
【請求項１】
ムコール  ヒエマリス（Mucor hiemalis）由来のエンド-β-N-アセチルグルコサミニダーゼ(EC3.2.1.96)の存在下、α-N-アセチル-D-グルコサミン(α-GlcNAc)、D-グルコース(Glc)、D-マンノース(Man)あるいはD-キシロピラノース(Xyl)を非還元末端に有する糖質あるいは複合糖質（糖鎖受容体）に複合型糖鎖を転移させることにより複合糖質を製造する方法。
【請求項２】
下式（1）で表される化合物。
【化1】
0003811527.tif 000005
（ここで、Fmocは９-フルオレニルメチルオキシカルボニル基、Asn はL-アスパラギン、NeuAcはシアル酸、GalはD-ガラクトース、GlcNAcはN-アセチル-D-グルコサミン、ManはD-マンノース、GlcはD-グルコースを示す。）
【発明の詳細な説明】
【０００１】
【発明の属する技術分野】
本発明は、酵素の糖鎖転移反応を利用した新規な複合型糖鎖を持つ複合糖質およびその製造方法に関する。医薬分野に応用される。
【０００２】
【従来の技術】
糖質および複合糖質は生物の細胞、体液等に存在し、細胞の基質認識や細胞−細胞間の認識等に深く関わっている。中でもシアル酸を含む複合型糖鎖を有する複合糖質は細胞の認識機能に最も深く関わり、また生体内物質の吸収、分解等の代謝の速度に関係している。タンパク質には糖鎖を持つものが知られ、例えばエリスロポエチンの場合、糖鎖末端のシアル酸をはずすと生体内での活性が速やかに消失し、シアロ複合型糖鎖が生理的に特に重要な役割を果たしている。これらの生理的機能に着目して、例えば動物細胞等を用いて遺伝子工学的に作られたエリスロポエチンやティシュープラスミノーゲンアクチベーター等の糖タンパク質が医薬として利用されている。また、ヒト絨毛性性腺刺激ホルモン（ｈＣＧ）等ペプチドホルモンの中にも糖鎖を持つものが知られている。一方、タンパク質、生理活性ペプチドあるいはセラミド等に糖鎖を付けたりあるいは今ある糖鎖を別の糖鎖に換えることにより、生理機能の強化や生理活性の改変に役立つことが期待される。
【０００３】
糖鎖を酵素的に改変する方法としては、１）転移酵素あるいはエキソグリコシダーゼによる方法と、２）エンドグリコシダーゼによる方法が考えられる。
【０００４】
１）の方法としては、例えばＤ．Ｈ．ジョジアッセ（D. H. Joziasse）ら［ヨーロピアン  ジャーナル  オブ  バイオケミストリー（Eur. J. Biochem.)、 第１９１巻、第７５〜８３頁（１９９０）］があるが、これは糖鎖の非還元末端からの逐次反応である。また、最近、Ｍ．シャスター（M. Schuster）ら［ジャーナル  オブ  アメリカン  ケミカル  ソサエテイ（J. Amer. Chem. Soc.）、第１１６巻、第１１３５〜１１３６頁（１９９４）］は数種のグリコシルトランスフェラーゼを組み合わせた糖鎖の固相合成法を報告している。しかしこれらエキソグリコシダーゼまたはグリコシルトランスフェラーゼを用いた糖鎖合成反応は糖残基一つ一つについてその酵素反応を逐次的に行わねばならず、反応ステップが多く、大変煩雑である。
【０００５】
一方、２）のエンドグリコシダーゼを用いた糖転移反応としては、Ｒ．Ｂ．トリムブル（R. B. Trimble）ら［ジャーナル  オブ  バイオロジカル  ケミストリー（J. Biol. Chem.）、第２６１巻、第１２０００〜１２００５頁（１９８６）］のフラボバクテリウム  メニンゴセプチカム（Flavobacterium meningosepticum）由来のエンド−β−Ｎ−アセチルグルコサミニダーゼ（エンド−Ｆ）に関するもの、Ｒ．Ｍ．バーデールス（R. M. Bardales）ら［ジャーナル  オブ  バイオロジカル  ケミストリー（J. Biol. Chem.）、第２６４巻、第１９８９３〜１９８９７頁（１９８９）］のディプロコッカス  ニューモニエ（Diprococcus pneumoniae）由来のエンド−α−Ｎ−アセチルガラクトサミニダーゼに関するものがあり、前者はグリセロールが受容体に、また後者はグリセロール、ｐ−ニトロフェノール、セリン、スレオニン等が受容体になるという報告である。その後、竹川ら［特開平５−６４５９４号（１９９３）］がアルスロバクター  プロトホルミエ（Arthrobacter protophormiae）由来のエンド−β−Ｎ−アセチルグルコサミニダーゼ（エンド−Ａ）による糖質への高マンノース型糖鎖の転移反応を、また、Ｋ．ヤマモト（K. Yamamoto） ら［バイオケミカル  バイオフィジカルリサーチ  コミュニケーション（Biochem. Biophys. Res. Commun.）、第２０３巻、第２４４〜２５２頁（１９９４）］はムコール  ヒエマリス（Mucor hiemalis）由来のエンド−Ｍによる糖質への糖鎖転移反応を報告した。
【０００６】
【発明が解決しようとする課題】
糖質に糖鎖を新たに付与したりあるいは他の糖鎖と入れ換えたりする、いわゆる糖鎖の改変（リモデリング）により複合糖質の生体内での安定性や生物活性が天然の複合糖質に比べて増強されたり、天然にない生物機能が付加されれば医薬品に応用した場合に有用である。また、複合糖質における糖鎖のもつ生理的機能は今まで糖鎖改変の有効な手段がなかったために、十分には解明されていないが、その役割の解析のための重要な手段を提供する。
【０００７】
エンドグリコシダーゼの糖鎖転移反応による方法は、天然の糖鎖がブロックのまま糖鎖受容体へ転移付加されて複合糖質が合成される点で新しい方法を提供するものであった。
【０００８】
複合型糖鎖の転移活性を有するエンドグリコシダーゼとしてムコール  ヒエマリス由来のエンド−β−Ｎ−アセチルグルコサミニダーゼ（エンド−Ｍ）は、糖鎖受容体のＡｓｎにβ配置で結合したＮ−アセチル−Ｄ−グルコサミン残基（ＧｌｃＮＡｃ）に糖鎖を転移することが知られているが、本発明者らは糖鎖受容体の糖残基がＧｌｃＮＡｃ以外の糖残基の場合にも酵素が認識して糖鎖転移が起きることを見出し、本発明を考案した。
【０００９】
【課題を解決するための手段】
本発明は、β−ＧｌｃＮＡｃ以外の糖残基を有する糖鎖受容体にエンドグリコシダーゼを用いて複合型糖鎖を転移付加させることにより合成される天然にはない配列の複合型糖鎖を有する複合糖質とその製造方法を提供する。
【００１０】
【発明の実施の形態】
本発明を概説すれば、本発明は天然にはない配列の複合型糖鎖を有する複合糖質の製造法に関する。エンドグリコシダーゼの存在下、下記式（式１）：
Ｘ−ＧｌｃＮＡｃ−β−ＧｌｃＮＡｃ−Ｙ  ＋  Ｒ−Ｚ  →  Ｘ−ＧｌｃＮＡｃ−Ｒ−Ｚ  ＋  β−ＧｌｃＮＡｃ−Ｙ  （式１）
（式中、Ｘは複合型糖鎖、ＧｌｃＮＡｃはＮ−アセチル−Ｄ−グルコサミン、Ｙは糖質、複合糖質、ペプチドあるいはタンパク質、Ｒはβ−ＧｌｃＮＡｃ以外の糖残基、Ｚは糖質、複合糖質あるいはペプチド等）で表される転移反応を行うことを特徴とする。
【００１１】
本発明に用いるエンドグリコシダーゼとしては、例えばＳ．カドワキ（S. Kadowaki ）ら［アグリカルチュラル  アンド  バイオロジカル  ケミストリー（Agr. Biol. Chem.）、第５４巻、第９７〜１０６頁（１９９０）］により報告されたムコール  ヒエマリス（Mucor hiemalis）により生産されるエンド−β−Ｎ−アセチルグルコサミニダーゼ（ＥＣ３．２．１．９６）、エンド−Ｍがある。
【００１２】
該酵素は下記式（式２）：
Ｘ−ＧｌｃＮＡｃ−β−ＧｌｃＮＡｃ−Ａｓｎ−（ペプチド）  （式２）
（式中Ｘは複合糖鎖を示す）のアスパラギン（Ａｓｎ）結合型糖鎖のキトビオース（ＧｌｃＮＡｃ−β−ＧｌｃＮＡｃ）部分のグリコシド結合を加水分解する。
【００１３】
（式２）のＸ−ＧｌｃＮＡｃ部分が水の水酸基（この時、加水分解）でなく、糖鎖受容体の水酸基に移れば糖鎖の転移反応が成立する。酵素エンド−Ｍは高マンノース型糖鎖よりもシアル酸のついた複合型糖鎖をより効率よく転移させることが出来る。
【００１４】
エンドグリコシダーゼによる糖鎖転移反応の糖鎖受容体の糖部分は、通常、元の糖鎖配列にあったのと同一構造の糖である。例えば酵素エンド−Ｍによる複合型糖鎖の転移を例にとると、エンド−Ｍは（式２）で示される複合型糖鎖のキトビオース（ＧｌｃＮＡｃ−β−ＧｌｃＮＡｃ）部分に作用して切り取った糖鎖を受容体のβ−ＧｌｃＮＡｃ部分に転移させる。即ち、（式１）Ｒがβ−ＧｌｃＮＡｃである。
Ｘ−ＧｌｃＮＡｃ−β−ＧｌｃＮＡｃ−Ｙ  ＋  β−ＧｌｃＮＡｃ−Ｚ  →
Ｘ−ＧｌｃＮＡｃ−β−ＧｌｃＮＡｃ−Ｚ  ＋  β−ＧｌｃＮＡｃ−Ｙ  （式３）
【００１５】
本発明者らは、酵素エンドグリコシダーゼによる糖鎖転移反応の糖鎖受容体の糖残基の認識の特異性を調べたところ、β−ＧｌｃＮＡｃ以外の糖残基の場合にも複合型糖鎖の転移反応が起きることを見出し、本発明を完成した。
【００１６】
即ち、この方法によればβ−ＧｌｃＮＡｃに類縁の糖残基を有する糖鎖受容体を合成して用いることにより、これに酵素的に糖鎖が転移付加して天然にはない新しい配列の糖鎖を有する複合糖質を合成することが可能となる。
【００１７】
β−ＧｌｃＮＡｃに代わる糖残基としては、例えばα−ＧｌｃＮＡｃ（ＧｌｃＮＡｃのαアノマー）、α及びβ−Ｄ−グルコース（Ｇｌｃ）、Ｄ−マンノース（Ｍａｎ）であり、キトビオース（ＧｌｃＮＡｃ）2 や１−Ｓ−置換−Ｄ−グルコースあるいはＤ−キシロース（Ｘｙｌ）等も用いられる。これらはいずれもβ−ＧｌｃＮＡｃと同じ４位の水酸基がエクアトリアルな立体配置をとるヘキソピラノースあるいはペントピラノースである。
【００１８】
糖鎖受容体として糖の１位のパラ−ニトロフェニル（ＰＮＰ）誘導体を用いて酵素エンド−Ｍによる複合型糖鎖の転移反応における糖の認識の特異性を調べた結果を表１に、またその構造を図１（化１）に示す。これら複合型糖鎖の受容体となる糖残基の構造はいずれも４位水酸基の立体配置がβ−ＧｌｃＮＡｃと同じエクアトリアルなヘキソピラノースあるいはペントピラノースであり、この構造を有する糖に複合型糖鎖が転移する。
0003811527.tif 000002
糖鎖転移反応収率は、ＰＮＰ−β−Ｄ−ＧｌｃＮＡｃを糖鎖受容体とした時の反応収率を１００として、これに対する相対値（％）で表示した。
【化１】
0003811527.tif 000003
（式中、ＰＮＰはパラ−ニトロフェニル基を示し、化合物１〜８は表１に示した糖鎖受容体に対応する）。
【００１９】
糖鎖受容体となるのはβ−ＧｌｃＮＡｃ以外の糖残基を有する糖質あるいは複合糖質であり、糖残基は４位水酸基の立体配置がエクアトリアルな構造をとるヘキソピラノースあるいはペントピラノース誘導体である。また、糖の１位水酸基はβでなくα−アノマーでもよい。例えば、Ｄ−グルコース（Ｇｌｃ）残基を有する糖ペプチド誘導体等が用いられる。これらは化学合成して用いられる。
【００２０】
例えば、糖−Ａｓｎ残基を有するペプチド（糖−Ａｓｎ−ペプチド）およびその誘導体は、例えばＴ．イナヅ（T. Inazu）ら［シンレット、第８６９〜８７０頁（１９９３）］に述べた方法に準じて合成された糖−Ａｓｎ誘導体を用い、同じくＴ．イナヅ（T. Inazu）ら［ペプチド  ケミストリー  １９９３（Peptide Chemistry １９９３）、第１０１〜１０４頁（１９９４）］の方法により固相合成法を用いて合成される。誘導体はＮ末端アミノ酸のαアミノ基が無保護あるいは９−フルオレニルメチルオキシカルボニル（Ｆｍｏｃ）誘導体［ＧｌｃＮＡｃ−Ａｓｎ−（ペプチド）−Ｆｍｏｃ］あるいは第３ブチルオキシカルボニル（ＢＯＣ）誘導体［ＧｌｃＮＡｃ−Ａｓｎ−（ペプチド）−ＢＯＣ］等である。保護基を付けたまま（この時は転移反応後に常法により保護基を外す）、あるいは遊離型で糖鎖受容体として反応に供する。
【００２１】
本発明の転移反応において、糖鎖供与体としてはシアル酸を含有するシアロ複合型糖鎖あるいはシアル酸のないアシアロ複合型糖鎖を有する複合糖質が用いられる。例えば、ヒトトランスフェリンや牛フェツイン等のシアロ複合糖質であり、そのまま用いてもよいが、プロナーゼ等のタンパク質加水分解酵素によりタンパク質部分をアスパラギン（Ａｓｎ）残基のみにまで小さくした複合型糖質がより適している。
【００２２】
このようにして天然の複合型糖鎖が受容体の糖残基に転移して生じた糖鎖は、天然にはなかった全く新しい配列の糖鎖となる。例えば、（化２）に示したようにＧｌｃ残基を有する糖質に２本鎖シアロ複合型糖鎖を転移させると、生じた糖鎖は新しい配列の複合型糖鎖になる。即ち、トランスフェリン由来のシアロ２本鎖複合型糖鎖は（ＮｅｕＡｃ−Ｇａｌ−ＧｌｃＮＡｃ−Ｍａｎ）2−Ｍａｎ−ＧｌｃＮＡｃ−ＧｌｃＮＡｃ−の構造であるが、転移生成した糖鎖は（ＮｅｕＡｃ−Ｇａｌ−ＧｌｃＮＡｃ−Ｍａｎ）2−Ｍａｎ−ＧｌｃＮＡｃ−Ｇｌｃ−と、エンドグリコシダーゼにより認識され加水分解されるＧｌｃＮＡｃ−ＧｌｃＮＡｃ部分がＧｌｃＮＡｃ−Ｇｌｃに変わった全く新しい配列の糖鎖である。
【００２３】
例えばヒトトランスフェリン由来シアロ複合型糖鎖のＤ−グルコース残基を有するＡｓｎ誘導体（Ｆｍｏｃ−Ａｓｎ−Ｇｌｃ）への転移反応の例（化２）を示す。ここで、ＮｅｕＡｃはシアル酸を、ＧａｌはＤ−ガラクトースを、ＭａｎはＤ−マンノースを、またＦｍｏｃはアミノ酸（Ａｓｎ）のＮ末端の保護基９−フルオレニルメチルオキシカルボニル基を示す。点線で囲った部分は、天然の元の形の糖鎖（上）及び形成されたＧｌｃＮＡｃ−Ｇｌｃを含む新しい配列の糖鎖（下）を示す。
【化２】
0003811527.tif 000004
【００２４】
用いるエンドグリコシダーゼとしては、エンド−β−Ｎ−アセチルグルコサミニダーゼ（ＥＣ３．２．１．９６）であり、複合型糖鎖の転移活性を有するものが使われる。例えば、エンド−Ｍ等が用いられる。
【００２５】
本発明の糖鎖転移反応は、基質の糖鎖供与体である複合型糖質、糖鎖受容体および酵素のエンドグリコシダーゼを緩衝溶液中で混合することにより行われる。この時、基質である糖鎖供与体と糖鎖受容体の仕込濃度を共に高濃度にすることにより反応が高収率で進行する。また酵素の添加量を制限して反応を行うことにより高い収率が得られる。
【００２６】
緩衝液としては、ｐＨ５〜８程度の適当な緩衝液が用いられる。エンド−Ｍの場合、通常ｐＨ５．５〜６．５の酢酸あるいはリン酸緩衝液中で反応が行われる。反応温度は通常、室温〜５０℃程度、好ましくは３０〜４０℃で行われ、反応時間は１〜２４時間程度である。エンド−Ｍ酵素の場合、通常、温度３７℃で３〜１８時間程度反応が行われる。
【００２７】
生成した新規な複合型糖質は公知の手段に従って反応終了液から容易に分離精製することが出来る。例えば、ゲルろ過カラムクロマトグラフィー、イオン交換樹脂カラムクロマトグラフィー、レクチンカラムクロマトグラフィー、高速液体クロマトグラフィー（ＨＰＬＣ）等により反応終了液から反応生成物新規複合型糖質を分離し、更に濃縮、脱塩、凍結乾燥等を行えばよい。
【００２８】
【実施例】
以下に実施例をあげて本発明を更に具体的に説明するが、本発明はこれらに限定されるものではない。
【００２９】
【実施例１】
複合型糖鎖のパラ−ニトロフェニル（ＰＮＰ）グリコシドへの転移反応：糖鎖供与体として、ヒトトランスフェリン（生化学工業）をプロナーゼ処理とセファデックスＧ−２５ゲルろ過を繰り返して得たＡｓｎ残基のみを有する２本鎖複合型糖鎖からなるシアロ糖ペプチド（以下ＴＦ−ＳＧＰと略する、分子量２３３８）を調製した。ＴＦ−ＳＧＰをノイラミニダーゼ処理してシアル酸のないアシアロ糖ペプチド（以下ＴＦ−ＡＳＧＰと略する）を調製した。糖鎖受容体は各種の糖の１位のＰＮＰ誘導体（ＰＮＰ−糖）（生化学工業、シグマ社）を用いた。ＴＦ−ＳＧＰ  １μｍｏｌとＰＮＰ−糖  ５００ｎｍｏｌを０．１Ｍリン酸緩衝液（ｐＨ６．２５）２４μｌに溶解し、エンド−Ｍ  １６０μＵを含む酵素溶液１６μｌを加え、３７℃で３時間反応した。加熱処理により反応を停止後反応液を蒸留水で１ｍｌに希釈して、反応生成物をＨＰＬＣで分析した。各種ＰＮＰ−糖へのシアロ複合型糖鎖の転移反応収率を、ＰＮＰ−β−Ｄ−ＧｌｃＮＡｃを糖鎖受容体とした時の転移反応収率（１２．２％）を１００（％）として、その相対値で先の表１に示した。これら糖鎖転移反応生成物をＨＰＬＣにより単離し、質量分析の結果、ＰＮＰ−糖へのシアロ複合型糖鎖の転移生成物であることを確認した。ＴＦ−ＡＳＧＰを糖鎖供与体として同様に反応した時、ＰＮＰ−β−ＧｌｃＮＡｃ、ＰＮＰ−β−グルコースへの相対反応収率は各８１％及び８４％であった。
【００３０】
【実施例２】
ヒトトランスフェリン由来シアロ糖鎖のＦｍｏｃ−Ａｓｎ−Ｇｌｃへの糖鎖転移反応：  糖鎖受容体にはＮ末をＦｍｏｃ（９−フルオレニルメチルオキシカルボニル）で保護したＡｓｎにβ−Ｄ−グルコースを結合させたＦｍｏｃ−Ａｓｎ−Ｇｌｃ（分子量５１７）を用いた。この合成はＴ・イナヅらの先の文献記載のＦｍｏｃ−Ａｓｎ−ＧｌｃＮＡｃの合成法に準じて行った。ＴＦ−ＳＧＰ  １μｍｏｌ（２．２４ｍｇ）とＦｍｏｃ−Ａｓｎ−Ｇｌｃ  ５００ｎｍｏｌ（０．２５８ｍｇ）を０．１Ｍリン酸緩衝液（ｐＨ６．２５）２４μｌに溶解し、エンド−Ｍ  １６０μＵを含む酵素溶液１６μｌを加え、３７℃で６時間反応した。加熱処理により反応を停止後反応液を蒸留水で１ｍｌに希釈して、反応生成物をＨＰＬＣで分析した。転移反応生成物が１５．８％（対仕込糖鎖受容体、モル比）の収率で得られた。反応生成物をＨＰＬＣ分取により単離し、質量分析の結果、ｍ／ｚ［Ｍ−Ｈ］２５１８にシグナルが観測され、トランスフェリン由来のシアル酸が２個ついた（ジシアロ）２本鎖複合型糖鎖がＦｍｏｃ−Ａｓｎ−Ｇｌｃに転移した化合物（分子量２５１９）であることが確認された。これをシアリダーゼで処理するとアシアロ体の化合物（分子量１９３７）が得られシアル酸の存在が確認された。
【００３１】
【実施例３】
ヒトトランスフェリン由来シアロ糖鎖のＧｌｃ残基を有するペプチドへの糖鎖転移反応：糖鎖受容体にはＡｓｎとアラニン（Ａｌａ）からなるペプチドのＡｓｎ残基にβ−Ｄ−グルコースを結合させたＦｍｏｃ−Ａｓｎ（Ｇｌｃ）−Ａｌａ（分子量５８８）を、Ｔ．イナヅらの文献記載の方法に準じてＡｌａとＦｍｏｃ−Ａｓｎ（Ｇｌｃ）とから合成した。ＴＦ−ＳＧＰ  １μｍｏｌ（２．２４ｍｇ）とＦｍｏｃ−Ａｓｎ（Ｇｌｃ）−Ａｌａ  ５００ｎｍｏｌ（０．２９４ｍｇ）を０．１Ｍリン酸緩衝液（ｐＨ６．２５）２４μｌに溶解し、エンド−Ｍ  １６０μＵを含む酵素溶液１６μｌを加え、３７℃で６時間反応した。加熱処理により反応を停止後反応液を蒸留水で１ｍｌに希釈して、反応生成物をＨＰＬＣで分析した。転移反応生成物が１６．３％（対仕込糖鎖受容体、モル比）の収率で得られた。反応生成物をＨＰＬＣ分取により単離し、質量分析の結果、ｍ／ｚ［Ｍ−Ｈ］２５９０にシグナルが観測され、トランスフェリン由来のシアル酸が２個ついた（ジシアロ）２本鎖複合型糖鎖がＦｍｏｃ−Ａｓｎ（Ｇｌｃ）−Ａｌａに転移した化合物（分子量２５９０）であることが確認された。
【００３２】
【発明の効果】
本発明により、複合型糖鎖をβ−ＧｌｃＮＡｃ以外の糖残基を有する他の糖質、複合糖質あるいはペプチド等（糖鎖受容体）に転移させて新規な配列の複合型糖鎖を有する複合糖質を容易に合成することが可能となった。例えば、糖鎖受容体としてβ−ＧｌｃＮＡｃ以外の糖残基を持つ生理活性ペプチドを合成して糖鎖を転移付加させることにより、天然には無かった新規な糖鎖配列の複合糖ペプチドを合成出来る。このような糖鎖は生体内の糖鎖分解酵素に対して安定化することが期待され、本発明は、医薬への応用に有効である。また、天然にはない複合型糖鎖の調製法としても有用である。
【００３３】